(57)【要約】【課題】  軒樋の継目が外観上見えなくて外観よく施工でき、しかも色褪せてもリフォームが容易にできる軒樋の取り付け構造を提供する。【解決手段】  後壁１と後壁１の下端から前方に向けて斜め上方に立ち上げた平板状の前壁２からなると共に後壁１と前壁２のなす角度が鋭角になる軒樋３を建物の屋根４の軒先に沿って配置する。屋根４の軒先に取り付けた軒樋支持具５に軒樋３を軒樋３の後壁１の下端を建物に近接させた状態で支持する。折曲可能でコイル状に巻くことができる長尺板状の化粧カバー６を軒樋３の前壁２の外面に沿わせて被着する。【選択図】      図１
2005097984.tif 000002
【特許請求の範囲】
【請求項１】
後壁と後壁の下端から前方に向けて斜め上方に立ち上げた平板状の前壁からなると共に後壁と前壁のなす角度が鋭角になる軒樋を建物の屋根の軒先に沿って配置し、屋根の軒先に取り付けた軒樋支持具に軒樋を軒樋の後壁の下端を建物に近接させた状態で支持し、折曲可能でコイル状に巻くことができる長尺板状の化粧カバーを軒樋の前壁の外面に沿わせて被着したことを特徴とする軒樋の取り付け構造。
【請求項２】
コイル状に巻回された化粧カバーが施工現場で巻き戻すことで帯状に展開されて軒先分の長さに切断され、化粧カバーの長手方向に一定のピッチで設けられた固定用突起を曲げて軒樋に化粧カバーが固定されたことを特徴とする請求項１記載の軒樋の取り付け構造。
【請求項３】
化粧カバーはアルミニウムの薄板にて形成されていることを特徴とする請求項１または請求項２記載の軒樋の取り付け構造。
【発明の詳細な説明】
【技術分野】
【０００１】
本発明は、屋根の軒先に沿って軒樋を取り付ける構造に関するものである。
【背景技術】
【０００２】
一般の軒樋は合成樹脂製で形としては丸型または角型のタイプのものが大半である。軒樋は屋根の軒先に沿って配置され、屋根の軒先に取り付けた軒樋支持具に支持される。また軒樋は長手方向の長さは定尺（３．６ｍ若しくは４．０ｍ）であり、軒樋の長手方向の端部同士は軒樋継手で接続される。
【０００３】
ところで、上記従来例のように丸型または角型の形状で定尺の軒樋を軒樋継手で接続して施工するだけであると、継目が目立って外観が悪くなるという問題がある。また合成樹脂製の軒樋は耐久性がなくて経年により外観が悪くなるという問題がある。金属の芯材を合成樹脂で被覆した樹脂被覆金属板からなる軒樋は耐久性がよいが軒樋の前面部の耐候性はもっても１０年程で変色して外観が悪くなるという問題がある。また外観が悪くなってリフォームするときは軒樋や軒樋継手を取り替えなければならなく、またリフォームとき取り付ける軒樋と既存の軒樋支持具とに共通性がないために軒樋支持具ごと取り替えなければならなく、施工に手間がかかると共にコストかかるという問題ある。
【０００４】
また近年、軒樋が外から見えないようにするため、軒樋と包むように化粧カバー材を取り付けるものも提供されている（例えば、特許文献１参照）が、軒樋全体を包むように大掛かりな化粧カバー材を取り付けなければならなく、またこの化粧カバー材を取り付けるのに軒樋支持具以外に特別な支持具を要し、施工が大変であると共にコストがかかるという問題がある。
【特許文献１】特開２００１−４０８４３号公報
【発明の開示】
【発明が解決しようとする課題】
【０００５】
本発明は上記の従来の問題点に鑑みて発明したものであって、軒樋の継目が外観上見えなくて外観よく施工でき、しかも色褪せてもリフォームが容易にできる軒樋の取り付け構造を提供することを課題とするものである。
【課題を解決するための手段】
【０００６】
上記課題を解決するために本発明に係る軒樋の取り付け構造は、後壁１と後壁１の下端から前方に向けて斜め上方に立ち上げた平板状の前壁２からなると共に後壁１と前壁２のなす角度が鋭角になる軒樋３を建物の屋根４の軒先に沿って配置し、屋根４の軒先に取り付けた軒樋支持具５に軒樋３を軒樋３の後壁１の下端を建物に近接させた状態で支持し、折曲可能でコイル状に巻くことができる長尺板状の化粧カバー６を軒樋３の前壁２の外面に沿わせて被着したことを特徴とする。軒樋３の前壁２に化粧カバー６を被着することで軒樋３の継目が見えないように覆うことができて外観よく施工できる。また軒樋３の前壁２に折曲可能でコイル状に巻くことができる長尺板状の化粧カバー６を軒樋３の前壁２の外面に沿わせて被着するだけで外観上見える部分を覆って化粧できるために簡単な施工で且つ低コストで外観よく化粧することができ、また従来の軒樋の感じを脱した外観のよい形状に施工できる。また経年により色褪せてもリフォームするとき化粧カバー６を取り替えるだけでよいため簡単且つ安価にリフォームすることができる。
【０００７】
またコイル状に巻回された化粧カバー６が施工現場で巻き戻すことで帯状に展開されて軒先分の長さに切断され、化粧カバー６の長手方向に一定のピッチで設けられた固定用突起７を曲げて軒樋３に化粧カバー６が固定されたことを特徴とすることも好ましい。このようにすると、化粧カバー６を軒樋３の前壁２に沿わせて取り付けるとき化粧カバー６を容易に取り付けることができる。
【０００８】
また化粧カバー６はアルミニウムの薄板にて形成されていることを特徴とすることも好ましい。化粧カバー６が金属光沢で経年によって変色せず耐候性を向上できる。また化粧カバー６が軽量で施工性がよい。
【発明の効果】
【０００９】
本発明は軒樋の前壁に化粧カバーを被着することで軒樋の継目が見えないように覆うことができて外観よく施工できるという効果を奏し得るものであり、また軒樋の前壁に折曲可能でコイル状に巻くことができる長尺板状の化粧カバーを軒樋の前壁の外面に沿わせて被着するだけ外観上見える部分を覆って化粧できるために簡単な施工で且つ低コストで外観よく化粧することができるという効果を奏し得るものであり、また従来の軒樋の感じを脱した外観のよい形状に施工できるという効果を奏し得るものであり、また経年により色褪せてもリフォームするとき化粧カバーを取り替えるだけでよいため簡単且つ安価にリフォームすることができるという効果を奏し得るものである。
【発明を実施するための最良の形態】
【００１０】
以下、本発明を添付図面に示す実施形態に基いて説明する。軒樋３は図１に示すように断面レ字状に合成樹脂または樹脂被覆金属板にて形成されており、鉛直方向を向く後壁１と後壁１の下端から前方に向けて斜め上方に突出する前壁２を有している。この前壁２と後壁１とのなす角度は鋭角になっている。前壁２の上端には前耳部８を後壁１の上端には後耳部９を長手方向全長に亙って設けてあり、前耳部８の手前には係止溝１０を設けてある。軒樋支持具５は先端に係止片１１を設けると共に基部に耳嵌合部１２を設けてあり、軒樋支持具５の基端に取り付け板１３を設けてある。屋根４の軒先には鼻板１４に取り付け板１３を取り付けることで軒樋支持具５を取り付けてあり、軒先に沿わせて配置した軒樋３の係止溝１０に係止片１１を係止すると共に耳嵌合部１２に軒樋３の後耳部９を嵌合して軒樋３を軒樋支持具５に吊り支持してある。軒樋３は定尺であるために軒樋３の長手方向の端部同士は軒樋継手１５にて接続されるのであり、軒樋３の長手方向の端部を突き合わせた部分で外周から軒樋継手１５が嵌合されて図２に示すように接続される。
【００１１】
化粧カバー６は帯板状の長尺ものであり、折曲可能でコイル状に巻回可能になっている。この化粧カバー６は本例の場合、厚さ０．３ｍｍ程度のアルミニウムの薄板にて形成されており、必要に応じてエンボス等を施してある。また化粧カバー６に光触媒を塗布してあってもよい。この化粧カバー６の上下方向の巾は軒樋３の前壁２の上下方向の巾と同巾にしてある。化粧カバー６の上端と下端とには長手方向に所定のピッチで固定用突起７を突設してある。化粧カバー６は一般的な軒先の全長に亙る長さを想定して１ロット１０ｍ以上の長さにしてあり、図３に示すようにコイル状に巻回してある。化粧カバー６はコイル状に巻回してあることで輸送や取り扱いが便利にできる。
【００１２】
上記のように軒樋３を取り付けた後に軒樋３の前壁２に取り付けられるのであるが、このとき、コイル状に巻回した化粧カバー６が巻き戻され、軒先に亙る長さに切断され、前壁２の外面に化粧カバー６が重ねられ、固定用突起７を折り曲げることで固定用突起７を前壁２の上端と下端に巻き付けて化粧カバー６が固定される。
【００１３】
上記のように軒樋３は断面レ字状に形成されているために軒下から見たとき、殆ど軒樋３の前壁２の部分しか見えないが、この外観上見える前壁２の外面側を化粧カバー６で覆うことで化粧カバー６で覆った部分だけが見えて外観を向上できる。また化粧カバー６は複数の軒樋３に亙って被着できるために軒樋継手１３で接続した部分も覆うことができ、継目が見えず外観よく施工できる。また上記のような断面略レ字状の軒樋３の前壁２を化粧カバー６にて覆うことにより従来の軒樋の感じを脱した外観のよい形状に施工できる。また化粧カバー６がアルミニウム製であると、金属光沢のよい外観となると共に優れた耐候性がられる。またリフォームするときも化粧カバー６だけを取り替えるだけで対応できてリフォームの施工が簡単になると共にコストもあまりかからないものである。
【図面の簡単な説明】
【００１４】
【図１】本発明の実施の形態の一例の断面図である。
【図２】同上の軒樋に化粧カバーを取り付ける状態を説明する斜視図である。
【図３】同上の化粧カバーのコイル状に巻いた状態の斜視図である。
【符号の説明】
【００１５】
１  後壁
２  前壁
３  軒樋
４  屋根
５  軒樋支持具
６  化粧カバー
７  固定用突起
【図１】
2005097984.tif 000003
【図２】
2005097984.tif 000004
【図３】
2005097984.tif 000005